(57)【要約】【課題】蓋付勢部による蓋体の開放時の跳ね上がりという利便性と、二軸式蓋回動機構の利便性とを併有したフロア用品における蓋構造を提供する。【解決手段】第１軸と当該第１軸とは別個に回動可能な第２軸とを有する軸部４を介して回動可能に連結される蓋体３により、二重床の床面に形成された開口部を開閉自在に閉塞する蓋構造であって、前記蓋体３を前記開口部に対する開方向に付勢する蓋付勢部３２と、前記開口部を閉塞する位置に前記蓋体を解除可能に保持する蓋保持部３１と、前記蓋体３が前記開口部を閉塞している状態において、該蓋体３と前記軸部４との連結部分が前記蓋付勢部３２の付勢力によって前記開口部から浮き上がらないように該軸部の回動範囲を制限する回動制限部３３とを設けた。【選択図】図１
2020048357.tif 000002
【特許請求の範囲】
【請求項１】
内部に接続器具ブロックを配設した上面開口のボックス本体と、このボックス本体の上面に取付ける額縁状のベースプレートと、このベースプレートの中央開口部に開閉自在に取付ける蓋板とを具備してなる二重床に対して適用されるフロアコンセントにおいて、前記ベースプレートを、下側ベースプレートと上側ベースプレートの二つに分割し、下側ベースプレートは前記ボックス本体の上面開口周縁部に固定すると共に、前記蓋板は前記上側ベースプレートの中央開口部の一側縁に開閉自在に取付けるようになし、且つ下側ベースプレートに対し、上側ベースプレートを係脱可能にする脱着手段を付設して、上側ベースプレートまたは蓋板が損傷を受けたときは下側ベースプレートをハウジング本体の上面から取り外すことなく、上側ベースプレートまたは蓋板のみを交換できるように構成したことを特徴とするフロアコンセント。
【請求項２】
前記脱着手段は、下側ベースプレートの一側縁に開けた複数個の係合孔および上側ベースプレートの一側縁に突設した複数個の係合突起からなり、当該複数個の係合突起を下側ベースプレートに開けた複数個の係合孔内に係合することにより下側ベースプレートと上側ベースプレートを一体化させるようになっていることを特徴とする請求項１に記載のフロアコンセント。
【請求項３】
前記接続器具ブロックが電源器具ブロック、情報器具ブロック、電話器具ブロックのいずれか一つまたはこれらの任意の組み合わせからなる請求項１または請求項２に記載のフロアコンセント。
【発明の詳細な説明】
【技術分野】
【０００１】
本発明はオフィスなどの二重床に適用して好適なフロアコンセントに関する。
【背景技術】
【０００２】
オフィスなどを中心に、床下内に配線スペースを確保し、給電線やＬＡＮケーブルなどの線部材を効率よく配線するフリーアクセスフロアが普及している。このフリーアクセスフロアにおいては、フロアに開けた取付孔内にフロアコンセントなどを取付けることでオフィス内の各種情報機器類への電源供給やＬＡＮ配線などを行っている。
【０００３】
従来のフロアコンセントは、例えば下記の特許文献１および特許文献２に開示されているように、内部にコンセントブロックなどを固定した上面開口のボックス本体と、このボックス本体の上面開口周縁部に止め螺子などで固定する額縁状のベースプレートと、当該ベースプレートの中央開口部に開閉自在に取付ける蓋板とから構成され、必要に応じ蓋板を解放して例えば電源プラグをコンセントブロックの差込口に挿着して情報機器類に電源を供給するようにしている。
【先行技術文献】
【特許文献】
【０００４】
【特許文献１】特開２００６−２９６１５２号公報
【特許文献２】特開２００８−１０９７３８号公報
【発明の概要】
【発明が解決しようとする課題】
【０００５】
上記した特許文献１および特許文献２に開示されている従来のフロアコンセントにおいては、ベースプレートはいずれもコンセントブロックなどを配設固定したボックス本体の上面開口周縁部に止め螺子などによって強固に固定される構造となっている。
【０００６】
一方、フロアコンセントは使用中蓋板を閉じた状態でもケーブル類の接続を行うことができるようになっているが、不注意などにより、蓋板を開けたままで使用する場合もあり、例えばオフィス内を歩行する者が使用中のフロアコンセントに接触して、蓋板を破損したり、ベースプレートに損傷を与える事故が度々生じている。
【０００７】
このようなトラブルが発生した場合、従来は蓋板のみの交換はできず、蓋板を具備したベースプレートの全体をコンセントブロックなどを配設固定したボックス本体の上面開口周縁部から取り外して新品のパーツと取り換えなければならず、このような作業は電気工事士などの資格が要求され、簡単に交換作業を行うことができないという問題点があった。
【０００８】
本発明は上記問題点に鑑みてなされたものであり、額縁状のベースプレートを下側ベースプレートと上側ベースプレートの二つに分割形成し、下側ベースプレートのみをボックス本体の上面開口周縁部に固定すると共に、蓋板は前記上側ベースプレートの中央開口部の一側縁に開閉自在に取付けるようにして、これを前記下側ベースプレートの上面に取り外し可能に固定し、蓋板または上側ベースプレートが破損したときは、電気工事士などの資格がなくても、上側ベースプレートまたは蓋板のみを新品のものと交換できるようにしたフロアコンセントを提供することを目的とするものである。
【課題を解決するための手段】
【０００９】
上記課題を解決するための本発明の構成を詳述すれば、請求項１に係る発明は、内部に接続器具ブロックを配設した上面開口のボックス本体と、このボックス本体の上面に取付ける額縁状のベースプレートと、このベースプレートの中央開口部に開閉自在に取付ける蓋板とを具備してなる二重床に対して適用されるフロアコンセントにおいて、前記ベースプレートを、下側ベースプレートと上側ベースプレートの二つに分割し、下側ベースプレートは前記ボックス本体の上面開口周縁部に固定すると共に、前記蓋板は前記上側ベースプレートの中央開口部の一側縁に開閉自在に取付けるようになし、且つ下側ベースプレートに対し、上側ベースプレートを係脱可能にする脱着手段を付設して、上側ベースプレートまたは蓋板が損傷を受けたときは下側ベースプレートをボックス本体の上面から取り外すことなく、上側ベースプレートまたは蓋板のみを交換できるように構成したことを特徴とするフロアコンセントである。
【００１０】
また、請求項２に係る発明は、前記脱着手段は、下側ベースプレートの一側縁に開けた複数個の係合孔および上側ベースプレートの一側縁に突設した複数個の係合突起からなり、当該複数個の係合突起を下側ベースプレートに開けた複数個の係合孔内に係合することにより下側ベースプレートと上側ベースプレートを一体化させるようになっていることを特徴とする請求項１に記載のフロアコンセントである。
【００１１】
さらに、請求項３に係る発明は、前記接続器具ブロックが電源器具ブロック、情報器具ブロック、電話器具ブロックのいずれか一つまたはこれらの任意の組み合わせからなる請求項１または請求項２に記載のフロアコンセントである。
【発明の効果】
【００１２】
本発明に係るフロアコンセントによれば、額縁状のベースプレートを下側ベースプレートと上側ベースプレートの二つに分割形成してあり、下側ベースプレートのみをボックス本体の上面開口周縁部に螺子締結などにより強固に固定し、蓋板は上側ベースプレートの中央開口部に開閉自在に取付けるようにしたので、蓋板または上側ベースプレートが破損したときは、接続器具ブロックを配設固定してあるボックス本体の上面開口周縁部に固定してある下側ベースプレートを外す必要がなく、上側ベースプレートを下側ベースプレートから外すだけで蓋板または上側ベースプレートを新しいものと交換することができ、これらの作業は法令上も電気工事士などの資格がなくても作業を行うことができる。
【００１３】
また、上側ベースプレートを新しいものと交換するに際しても、上側ベースプレートの一側縁に突設した複数個の係合突起を、下側ベースプレートの一側縁に開けた複数個の係合孔内に嵌合係止するだけで両者を正確且つ密に一体化でき、最後に上側ベースプレートの開口部周縁に設けてある小孔内に小螺子を挿着し、当該小螺子を下側ベースプレートに設けてある螺子穴内にきつく螺着するだけで交換作業を行うことができる。従って、これまでにない特徴をもったフロアコンセントを提供することができる。
【００１４】
なお、前記小螺子の頭部は蓋板を閉じた状態では当該蓋板によって覆われるので、外観からはベースプレートが上下方向に二分割されていることを視認できず、従来のフロアコンセントと同様の外観形態を呈することができる。
【図面の簡単な説明】
【００１５】
【図１】本発明に係るフロアコンセントの一実施形態を示す分解状態斜視図であり、上側ベースプレートの中央開口部に位置する蓋板を開放した状態を示している。
【図２】図１の反対側からみた本発明に係るフロアコンセントの一実施形態を示す分解状態斜視図である。
【図３】本発明に係るフロアコンセントの一実施形態を示す平面図である。
【図４】蓋板を開閉自在に取付けた上側ベースプレートの裏側を示す斜視図である。
【図５】本発明に係るフロアコンセントの施工状態の一例を示す断面図である。
【発明を実施するための形態】
【００１６】
以下、本発明に係るフロアコンセントの具体的構成を図示の実施形態について詳細に説明する。なお、以下に示す実施形態は本発明の技術思想を具体化するためのフロアコンセントの一例を示すに過ぎないものであって、本発明は以下の説明及び図示したものに限定されるものではない。特に、実施の形態及び図面に記載されている構成部品の形状、相対的配置関係等は、特定的な記載がない限り本発明の範囲をそれのみに限定する趣旨ではなく、単なる説明例に過ぎないものである。
【００１７】
図中１は本発明に係るフロアコンセントの全体を示すものであり、当該フロアコンセント１は硬質合成樹脂または金属によって作製された上面開口のボックス本体２と、当該ボックス本体２の上面開口周縁部３に取付ける中央部が開口となった額縁状のベースプレート４と、当該ベースプレート４の中央開口部５に開閉自在に取付ける蓋板６とから構成される。なお、ベースプレート４および蓋板６は何れもアルミ合金あるいは加工性並びに耐衝撃性などに優れた特性を示現する金属素材または高分子素材が好適に用いられる。
【００１８】
先ず、ボックス本体２は二重床内に配設されるものであり、コンセント等からなる電源器具ブロック７や、情報器具ブロック８、電話器具ブロック等を取付けるための取付面９を備えていると共に、二重床を構成する床材１０に固定するための昇降駒部材１１を上下動させる長螺子１２のガイド部材１３を具備している。
【００１９】
また、ボックス本体２の方形状をなす上面開口周縁部３の各コーナー部付近にはベースプレート４を固定するための固定螺子１４を裏側から通すための通孔１５を設けてある。その他、図示する実施形態のボックス本体２の外側にはボックス本体２内に引き込む各種ケーブル類の保護カバー１６が設けられている。
【００２０】
次に、方形状をなす前記ボックス本体２の上面開口周縁部３に取付固定するベースプレート４であるが、本発明に係るベースプレート４は、従来のものと異なり、上下方向に下側ベースプレート４Ａと上側ベースプレート４Ｂの二つに分割されている。
【００２１】
二つに分割されたパーツのうち、下側ベースプレート４Ａは、図１および図２に示すように、その表面部１７より少し下方の位置に張り出し部１８を形成してあり、当該張り出し部１８の各隅角部付近に前記した固定螺子１４の螺子溝に螺合する雌螺子を形成した螺子孔１９を形成してある。
従って、ボックス本体２の前記通孔１５の下側から固定螺子１４の先端部を挿着し、当該固定螺子１４を下側ベースプレート４Ａの螺子孔１９内の雌螺子にきつく螺合させることによって、ボックス本体２の上面開口周縁部３に下側ベースプレート４Ａを固定することができる。
【００２２】
なお、下側ベースプレート４Ａの一側縁には、上側ベースプレート４Ｂとの一体化を図るための脱着手段となる複数個の係合孔２０を設けてある。また、当該係合孔２０を設けた辺部２１に対向位置する辺部２２の両端付近における張り出し部１８に上側ベースプレート４Ｂを螺子止めにより最終的に固定するための螺子孔２３，２３を形成してある。
【００２３】
前記下側ベースプレート４Ａとペアになってベースプレート４を構成する上側ベースプレート４Ｂは、前記下側ベースプレート４Ａとほぼ同一の外形寸法を有していると共に、その中央開口部５を実質的に塞ぐ大きさを有する蓋板６を開閉自在に取付けてある。
【００２４】
当該上側ベースプレート４Ｂにも、図１および図２に示すように、その表面部２４の内側より少し下方の位置に張り出し部２５を形成してあり、当該張り出し部２５が表面部２４より下方に突出した状態となって、前記下側ベースプレート４Ａの張り出し部１８によって形成される凹陥部内に嵌合可能な構造となっている。また、上側ベースプレート４Ｂの張り出し部２５には、下側ベースプレート４Ａの張り出し部１８に形成してある螺子孔２３内に螺着する小螺子２８を通すための通孔２７，２７を形成してある。
【００２５】
上側ベースプレート４Ｂの裏面一側縁には、図４に示すように、前記した下側ベースプレート４Ａとの一体化を図るための脱着手段となる複数個の係合突起２６を設けてあって、下側ベースプレート４Ａの一側縁に形成した係合孔２０内に上側ベースプレート４Ｂの当該係合突起２６を係合させることにより、上側ベースプレート４Ｂは下側ベースプレート４Ａと一体化する。
【００２６】
なお、下側ベースプレート４Ａの張り出し部１８は、前記したようにその表面部１７よりも少し下方の位置に形成してあるので、下側ベースプレート４Ａ全体としては凹陥部を形成することになり、当該凹陥部内に上側ベースプレート４Ｂの張り出し部２５が形成する突出部が嵌合した状態となって、前記した下側ベースプレート４Ａの係合孔２０内に上側ベースプレート４Ｂの当該係合突起２６が係合することと相俟って両者は外形が一致した状態となり、横方向から力が加わってもずれることがない。
【００２７】
上側ベースプレート４Ｂの中央開口部５に開閉自在に取付けられる蓋板６は、その基部２９の両端に突設してある軸部が、上側ベースプレート４Ｂの中央開口部５の一側縁両端に設けてある軸受部内に支承されて自在に開閉できる構造となっている。また、その先端部にはボックス本体２内の電源器具ブロック７などに繋いだケーブル類を蓋体６を閉じた状態でもフロア上に引き出すためのスライドさせて反転可能にした通線チップ３０を付設してある。
【００２８】
また、蓋板６には閉じた状態を保持できる蓋保持部を構成する図示しないバネ部材によって外方に向け付勢された係止爪３１が設けられており、フロアコンセント１を使用しないときは蓋板６を閉じて、当該係止爪３１を上側ベースプレート４Ｂに設けてある係合突片３２に係合させて閉じた状態を保持することができるようになっている。一方、フロアコンセント１を使用する際は、図３に示すスライドボタン３３を前記バネ部材の付勢力に抗して矢印方向にスライドさせると、係止爪３１が前記係合突片３２から外れてロックが解除された状態となる。
【００２９】
その他、蓋板６にはロックが解除されたときに蓋板６の先端部が少し上方に持ち上がるようにした蓋付勢部３４を構成するコイルスプリングが取付けられており、前記スライドボタン３３を解除方向にスライドさせると、コイルスプリングの弾発力によって蓋板６の先端部が少し上方に開くので使い勝手が良好となる。
【００３０】
次に、オフィス内に設置したフロアコンセント１の蓋板６が破損して、新しいものと取り替える際の手順につき説明すれば、先ず、蓋板６の表面部のスライドボタン３３を解除方向にスライドさせ、蓋板６の先端を開く。すると、上側ベースプレート４Ｂを下側ベースプレート４Ａに固定している小螺子２８，２８の頭部が表われるので、ドライバーを用いて当該小螺子２８，２８を外す。
【００３１】
この作業により、上側ベースプレート４Ｂの先端側はフリーな状態となるので、少し上に持ち上げることにより、下側ベースプレート４Ａの係合孔２０に係合している上側ベースプレート４Ｂの係合突起２６を外すことにより、簡単に下側ベースプレート４Ａから上側ベースプレート４Ｂを外すことができる。
新しい蓋板６を具備した上側ベースプレート４Ｂを取付けるのは前記した操作と逆の作業を行えば簡単に作業を終えることができ、これら一連の作業には電源器具ブロックなどを配設してあるボックス本体２には一切触れることがないので電気工事士などの資格がなくても作業を行うことができる。
【００３２】
本発明に係るフロアコンセントは、以上のように、額縁状のベースプレート４を下側ベースプレート４Ａと上側ベースプレート４Ｂの二つに分割形成してあり、下側ベースプレート４Ａのみをボックス本体２の上面開口周縁部３に固定し、蓋板６は上側ベースプレート４Ｂの中央開口部５に開閉自在に取付けるようにしたので、蓋板６または上側ベースプレート４Ｂが破損したときは、下側ベースプレート４Ａを外す必要がなく、上側ベースプレート４Ｂを下側ベースプレート４Ａから外すだけで蓋板６または上側ベースプレート４Ｂを新しいものと簡単に交換することができる。
【００３３】
また、上側ベースプレート４Ｂの一側縁に突設した複数個の係合突起２６を、下側ベースプレート４Ａの一側縁に開けた複数個の係合孔２０内に嵌合係止するだけで両者を正確に一体化でき、最後に上側ベースプレート４Ｂの開口部周縁に設けてある二つの通孔２７内に小螺子２８を挿着して下側ベースプレート４Ａに設けてある螺子穴２３内にきつく螺着するだけで交換作業を終えることができる。
【符号の説明】
【００３４】
１：フロアコンセント
２：ボックス本体
３：上面開口周縁部
４：ベースプレート
４Ａ：上側ベースプレート
４Ｂ：下側ベースプレート
５：中央開口部
６：蓋板
７：電源器具ブロック
８：情報器具ブロック
９：取付面
１０：床材
１１：昇降駒部材
１２：長螺子
１３：ガイド部材
１４：固定螺子
１５：通孔
１６：保護カバー
１７：表面部
１８：張り出し部
１９：螺子孔
２０：係合孔
２１：辺部
２２：辺部
２３：螺子孔
２４：表面部
２５：張り出し部
２６：係合突起
２７：通孔
２８：小螺子
２９：基部
３０：通線チップ
３１：係止爪
３２：係合突片
３３：スライドボタン
３４：蓋付勢部
【図１】
2020048357.tif 000003
【図２】
2020048357.tif 000004
【図３】
2020048357.tif 000005
【図４】
2020048357.tif 000006
【図５】
2020048357.tif 000007